(57)【特許請求の範囲】
【請求項１】
表情の変化を測定する表情測定手段と、音声の変化を測定す
る音声測定手段と、体動を測定する体動測定手段と、前記各測定手段の出力に基づいて精神状態を評価する精神状態評価手段と、該精神状態評価手段の評価結果を報知する報知手段とを備えていることを特徴とする精神状態評価装置。
【請求項２】
前記表情測定手段が撮像カメラを含み、前記精神状態評価手段は、前記撮像カメラにて撮像された撮像表情画像と予め登録しておいた基準表情画像との差が第１の閾値より小さいとき、精神状態が鬱状態にあると判断することを特徴とする請求項１記載の精神状態評価装置。
【請求項３】
前記音声測定手段がマイクロフォンを含み、前記精神状態評価手段は、前記マイクロフォンにて入力された入力音声の周波数が予め登録しておいた基準音声の周波数より低くかつその差が第２の閾値より大きいとき、精神状態が鬱状態にあると判断することを特徴とする請求項１記載の精神状態評価装置。
【請求項４】
前記体動測定手段が加速度センサを含み、前記精神状態評価手段は、前記加速度センサの出力に基づいて演算された移動量が第３の閾値より小さいとき、精神状態が鬱状態にあると判断することを特徴とする請求項１記載の精神状態評価装置。
【請求項５】
前記精神状態評価手段が重度の鬱状態であると判断した場合
、予め設定した連絡先に自動的に通信を行なう通信手段を備えていることを特徴とする請求項１ないし４のいずれかに記載の精神状態評価装置。
【発明の詳細な説明】
【０００１】
【発明の属する技術分野】
本発明は、表情、声、運動量に基づいて精神状態を評価して鬱状態を発見する精神状態評価装置に関する。
【０００２】
【従来の技術】
従来から、被験者の脈拍、呼吸、体温、血圧などの生理量を測定し、測定した生理量に基づいて被験者の健康状態を評価する種々の装置が提案されている。
【０００３】
例えば、脈拍、呼吸、体温などの生理量を測定する生理量測定装置をベッドサイドに設け、その生理量測定装置の出力を予め設定した生体信号の許容上限値及び許容下限値と比較することにより、ベッドに横たわった使用者の体調を評価する装置がある。この装置においては、生理量測定装置の出力が許容上限値を上回った場合あるいは許容下限値を下回った場合、アラームブザーによって監視者に報知されるように構成されている。
【０００４】
【発明が解決しようとする課題】
しかしながらこのような従来の装置は、身体的な健康を評価・管理するためのものであり、精神的な健康を評価・管理することについては考慮されておらず、このため年々増加する鬱病を始めとする精神性疾患に対応できない。
【０００５】
そこで、本発明は、精神的な健康を評価・管理することが可能な精神状態評価装置を提供することを目的とする。
【０００６】
【課題を解決するための手段】
本発明の精神状態評価装置は、表情の変化を測定する表情測定手段と、音声の変化を測定する音声測定手段と、体動を測定する体動測定手段と、各測定手段の出力に基づいて精神状態を評価する精神状態評価手段と、その精神状態評価手段の評価結果を報知する報知手段とを備えているものである。このような構成とすることにより、表情、音声、体動に基づいて精神状態が評価される。
【０００７】
具体的には、表情測定手段が撮像カメラを含み、精神状態評価手段は撮像カメラにて撮像された撮像表情画像と予め登録しておいた基準表情画像との差が第１の閾値より小さいとき精神状態が鬱状態にあると判断し、また、音声測定手段がマイクロフォンを含み、精神状態評価手段はマイクロフォンにて入力された入力音声の周波数が予め登録しておいた基準音声の周波数より低くかつその差が第２の閾値より大きいとき精神状態が鬱状態にあると判断し、更に、体動測定手段が加速度センサを含み、精神状態評価手段は加速度センサの出力に基づいて演算された移動量が第３の閾値より小さいとき、精神状態が鬱状態にあると判断するものである。
【０００８】
また、精神状態評価手段が重度の鬱状態であると判断した場合、予め設定した連絡先に自動的に通信を行なう通信手段を備えているものである。このような構成とすることにより、重度の鬱状態である場合には、自動的に予め設定した連絡先に対して通信が行われる。
【０００９】
【発明の実施の形態】
本実施の形態における精神状態評価装置について、図面を参照しつつ以下に説明する。
【００１０】
本実施の形態において、図１は精神状態評価装置の外観構成を表す概略構成図、図２はその回路構成を表すブロック図である。
【００１１】
本実施の形態における精神状態評価装置は、図１に示すように、パーソナルコンピュータ（以下、パソコンと称する）１を中心に構成され、そのパソコン１に接続されたキーボード２と、ディスプレイ３と、ＣＣＤカメラ４と、マイク５と、スピーカ６と、加速度センサ７とを備えている。
【００１２】
ＣＣＤカメラ４は、ディスプレイ３の上部においてパソコン１に対してキーボード２を操作して作業を行なう使用者に向かうように配置されており、ディスプレイ３を見る使用者の顔が撮像されてパソコン１に入力される。
【００１３】
マイク５は、ＣＣＤカメラ４同様ディスプレイ３上において使用者の顔に向かうように配置されており、使用者の発した音声が取り込まれてパソコン１に入力される。
【００１４】
また、加速度センサ７は、ベルト装着用のフック（図示省略）を用いて使用者の腰部に装着されるものであり、歩数計のように使用者の移動に伴い発生する出力が累積して記録される。このように記録されたデータは、使用者がパソコン１を起動させたときに、無線でパソコン１に入力される。このため、使用者は、加速度センサ７を常時携帯することが望ましく、これにより、使用者がパソコン１に向かっているとき以外についてもデータが収集される。
【００１５】
パソコン１は、図２に示すように、ＣＣＤカメラ４の出力を解析する表情解析部１１と、マイク５の出力を解析する音声解析部１２と、加速度センサ７の出力を受信して解析する加速度解析部１３と、各解析部１１、１２、１３の解析結果に基づいて精神状態を判定する精神状態判定部１４とを備えている。
【００１６】
表情解析部１１では、ＣＣＤカメラ４の撮像画像についてエッジ抽出処理を行なった後、２値化して使用者の顔に相当する領域を表情データとして抽出する。この表情データは、使用者がパソコン１に向かっている間、ＣＣＤカメラ４から入力される撮像画像について１分毎に求められる。５分分の表情データがパソコン１に取り込まれた時点で、表情の変化をみる指標として表情データの変化量Ｈが演算される。この表情データの変化量Ｈは、時刻ｔ分における表情データをｈ（ｔ）とすると、下記数１で求められる。
【００１７】
【数１】
0003668034.tif 000002
そして、数１で求めた変化量Ｈと使用者の過去１０日間における表情データの変化量を平均した値αとが比較され、その比較結果が精神状態判定部１４に入力されるとともに、メモリ１５に格納される。なお、これらの処理は、１時間毎に繰り返される。
【００１８】
また、音声解析部１２は、マイク５にて取り込まれた音声について周波数解析処理を行なった後、平均周波数Ｆを音声データとして演算する。この音声データは、パソコン１の起動時及び稼働中１時間毎にパソコン１から使用者に対して行われる質問に応答するすることにより入力される。このとき、質問内容は、ディスプレイ３に表示されるとともに、スピーカ６から音声で出力される。
【００１９】
そして、得られた平均周波数Ｆと予め普段の会話における音声について求めておいた平均周波数の値βとが比較され、その比較結果が精神状態判定部１４に入力されるとともに、メモリ１５に格納される。
【００２０】
更に、加速度解析部１３では、パソコン１の起動時に、加速度センサ７に格納された過去１日分のデータが無線でパソコン１に入力された後、入力されたデータについて２回積分処理が行なわれて、移動量Ｄが演算される。そして、得られた移動量Ｄと使用者の過去１０日間における移動量を平均した値γとが比較され、その比較結果が精神状態判定部１４に入力されるとともに、メモリ１５に格納される。
【００２１】
精神状態判定部１４では、各解析部１１、１２、１３の出力に基づいて、使用者の精神状態が判定される。ここでは、精神状態として使用者の鬱状態が判定される。
【００２２】
まず、表情解析部１１から入力された表情データの変化量Ｈと使用者の過去１０日間における表情データの変化量の平均値αとの比較結果に基づいて、精神状態判定部１４では、変化量Ｈが平均値αより大きい場合正常と判断され、逆に、変化量Ｈが平均値αより小さい場合鬱状態の可能性有りと判断される。精神状態判定部１４では、鬱状態の可能性有りと判断された場合、内蔵するカウンタ１４ａが１インクリメントされ、逆に、正常と判定された場合、カウンタ１４ａが１デクリメントされる。
【００２３】
また、音声解析部１２から入力された音声データの平均周波数Ｆと予め普段の会話における音声について求めておいた周波数の平均値βとの比較結果についても同様に、精神状態判定部１４において、音声データの平均周波数Ｆが平均値βより高い場合正常と判断され、カウンタ１４ａが１デクリメントされ、逆に、音声データの平均周波数Ｆが平均値βより低い場合鬱状態の可能性有りと判断され、カウンタ１４ａが１インクリメントされる。
【００２４】
但し、正常な状態が長時間に渡って継続しても、カウンタ１４ａの値は、負の値にならないように設定されている。
【００２５】
更に、パソコン１の起動時に加速度解析部１３から入力された移動量Ｄと過去１０日間における移動量の平均値γとの比較結果についても同様に、精神状態判定部１４において、移動量Ｄが平均値γより高い場合正常と判断され、内蔵するカウンタ１４ｂが０に設定され、逆に、移動量Ｄが平均値γより低い場合鬱状態の可能性有りと判断され、カウンタ１４ｂが１に設定される。
【００２６】
次に、得られたカウンタ１４ａ、１４ｂの合計値Ｓが１時間毎に演算され、鬱状態が判定されるとともに、この合計値Ｓが対処方法判定部１６に入力される。ここでは、合計値Ｓの値に応じて、鬱状態を３段階にレベル分けして判定している。
【００２７】
対処方法判定部１６では、使用者の鬱状態のレベルに応じて、以下のような対処が指示される。
【００２８】
レベル１（合計値Ｓ＝１）：軽度の鬱状態のため、ディスプレイ３に人物を表示するとともに、その人物の声としてスピーカ６から使用者に対話を求める音声を出力して、使用者の気分転換を図る。
【００２９】
レベル２（合計値Ｓ＝２）：鬱状態が進んでいるため、使用者のパソコン１での作業を停止させるべく、使用者に運動を求める指示をディスプレイ３に表示するとともにスピーカ６に出力する。
【００３０】
レベル３（合計値Ｓ＝３）：鬱病の疑いがあるため、医療機関等の予め設定してある連絡先に対しモデム１７を介して自動的に連絡が行われる。そして、連絡を受けた医療機関等においては、その使用者に対し電話等によるカウンセリング等が行われる。
【００３１】
上述したように、本実施の形態によれば、ＣＣＤカメラ４、マイク５、加速度センサ７の出力に基づいて、鬱状態において現れる無表情、音声のトーン低下、運動量の低下が評価できるように構成されているため、使用者はこの評価結果に基づいて鬱状態が進行しないよう防止に努めることができる。これにより、使用者の精神的な健康が維持され、快適な生活を送ることが可能となる。
【００３２】
また、鬱状態のレベルに応じて、対処方法を指示できるように構成されているため、使用者はこの指示を参考に鬱状態の解消に努めることができる。これにより、使用者は処方法を誤ることなく適切な対処を行なうことが可能となる。
【００３３】
また、使用者の鬱状態が鬱病の疑いがある程進んでいるような場合には、自動的に医療機関等に連絡するように構成されているため、使用者自身で対処できない場合においても、連絡先となっている医療機関等に連絡が行われる。使用者は、その指示やカウンセリングを仰ぐことができ、より適切な対処を行なうことが可能となる。
【００３４】
尚、本実施の形態においては、表情、音声、運動量を閾値評価した後、それらを総合的に評価して鬱状態をレベル分けしたが、表情、音声、運動量それぞれについて鬱状態をレベル分けしてもよい。この場合、例えば、表情、音声、運動量のうち最も高い鬱状態レベル、もしくは各鬱状態レベルの平均値等を、使用者の鬱状態レベルとする。
【００３５】
【発明の効果】
本発明によれば、鬱状態において現れる無表情、音声のトーン低下、運動量の低下が評価できるように構成されているため、使用者はこの評価結果に基づいて鬱状態が進行しないよう防止に努めることができる。これにより、使用者の精神的な健康が維持され、快適な生活を送ることが可能となる。
【図面の簡単な説明】
【図１】  図１は精神状態評価装置の外観構成を表す概略構成図である。
【図２】  図２は図１の精神状態評価装置の回路構成を表すブロック図である。
【符号の説明】
１  ：パソコン
１１：表情解析部
１２：音声解析部
１３：加速度解析部
１４：精神状態評価部
１５：メモリ
１６：対処方法判定部
１７：モデム
２  ：キーボード
３  ：ディスプレイ
４  ：ＣＣＤカメラ
５  ：マイク
６  ：スピーカ
７  ：加速度センサ
【図１】
0003668034.tif 000003
【図２】
0003668034.tif 000004